(57)【要約】【課題】  サンバイザ本体を薄型化できるなどの効果を有するバニティミラー付きサンバイザを提供する。【解決手段】  サンバイザ本体と、該サンバイザ本体支持されてなるバニティミラー４と、操作者に向けて照明光を点灯可能なる照明手段６とが構成されてなるバニティミラー付きサンバイザにおいて、前記照明手段６は、前記バニティミラー４の上側及び又は下側の端部に左右方向に長尺なるようにして配設されてなると共に前記バニティミラー４の厚みとほぼ同等の発光ダイオード６よりなる。【選択図】        図２
2005263093.tif 000002
【特許請求の範囲】
【請求項１】
垂下した状態で所定の範囲の外部光を遮ることが可能なるサンバイザ本体と、該サンバイザ本体に支持されてなるバニティミラーと、操作者に向けて照明光を点灯可能なる照明手段とより少なくとも構成されてなるバニティミラー付きサンバイザにおいて、
前記照明手段は、前記バニティミラーの上側及び又は下側の端部に左右方向に長尺なるようにして配設されてなると共に前記バニティミラーの厚みとほぼ同等の発光ダイオードよりなることを特徴とするバニティミラー付きサンバイザ。
【請求項２】
請求項１に記載のバニティミラー付きサンバイザであって、
前記バニティミラーは、前記照明手段の配設されてなる位置の左右幅の裏面に、白色塗装を施してなり且つ前記照明手段の配設されていない位置の左右幅の裏面に、ハーフ蒸着処理を施してなることを特徴とするバニティミラー付きサンバイザ。
【発明の詳細な説明】
【技術分野】
【０００１】
この発明は、車両に搭載されるバニティミラー付きサンバイザに関するものである。
【背景技術】
【０００２】
バニティミラー付きサンバイザには、例えば、垂下した状態で所定の範囲の外部光を遮ることが可能な上下幅及び左右幅を有すると共に該垂下した状態での室内側に凹部が形成されてなるサンバイザ本体と、該サンバイザ本体の凹部に格納支持されてなるバニティミラーと、前記サンバイザ本体の凹部を覆う位置及び露出する位置の二位置間での開閉が可能なる様に支持されてなるミラーカバーと、操作者に向けて照明光を点灯可能なる照明手段とを備えたものがある（例えば、特許文献１参照）。
【特許文献１】特開平９−２４９０６０号公報
【発明の開示】
【発明が解決しようとする課題】
【０００３】
しかしながら、このような従来のバニティミラー付きサンバイザにあっては、照明手段に所謂舟形電球を用いていることにより、該舟形電球の直径寸法分を収納しなければならない分、サンバイザの板厚が大きい物となる。また、前方視界を確保する必要上サンバイザ自体を大きくできないので、所定寸法以上に大きくできないサンバイザ本体とバニティミラーとの間に舟形電球が入るには、バニティミラーを小さくせねばならず、化粧をする者の顔等を満足に映し出すことができ得なくなる虞がある。
【０００４】
この発明は、このような従来の技術に着目してなされたものであり、サンバイザ本体を薄型化できるなどの効果を有するバニティミラー付きサンバイザを提供するものである。
【課題を解決するための手段】
【０００５】
請求項１に記載の発明は、垂下した状態で所定の範囲の外部光を遮ることが可能なるサンバイザ本体と、該サンバイザ本体に支持されてなるバニティミラーと、操作者に向けて照明光を点灯可能なる照明手段とより少なくとも構成されてなるバニティミラー付きサンバイザにおいて、前記照明手段は、前記バニティミラーの上側及び又は下側の端部に左右方向に長尺なるようにして配設されてなると共に前記バニティミラーの厚みとほぼ同等の発光ダイオードよりなることを特徴とする。
【０００６】
請求項２に記載の発明は、請求項１に記載のバニティミラー付きサンバイザであって、前記バニティミラーは、前記照明手段の配設されてなる位置の左右幅の裏面に、白色塗装を施してなり且つ前記照明手段の配設されていない位置の左右幅の裏面に、ハーフ蒸着処理を施してなることを特徴とする。
【発明の効果】
【０００７】
請求項１に記載の発明によれば、バニティミラーの上側及び又は下側の端部に左右方向に長尺なるようにして配設されてなる照明手段が、前記バニティミラーの厚みとほぼ同等の発光ダイオードよりなるので、バニティミラーを収納した凹部が形成される板厚さえサンバイザにあれば良いことになる。つまり、著しいサンバイザの薄型化が図れる。また、発光ダイオードであるので、熱がこもらないことになり、発熱のための空間をあけるなどによるサンバイザの板厚増加の必要が無く、ますますサンバイザの薄型化が図れる。
【０００８】
請求項２に記載の発明によれば、請求項１に記載の効果に加え、バニティミラーは、前記照明手段の配設されてなる位置の左右幅の裏面に、白色塗装を施してなり且つ前記照明手段の配設されていない位置の左右幅の裏面に、ハーフ蒸着処理を施してなることにより、昼間は、発光ダイオードの有る無しに関わらず大きな幅が確保できるので、化粧等を施す人に見やすいものとなる。また、夜間は、発光ダイオードが点灯すると、裏面の白色塗装した部位より反射して化粧等を施す人を確実に照らし、ハーフ蒸着した部位がミラーとして機能するから、バニティミラーとしての機能を確保できることになる。
【発明を実施するための最良の形態】
【０００９】
サンバイザ本体を薄型化できるなどの効果を有するバニティミラー付きサンバイザを提供する、という目的を、垂下した状態で所定の範囲の外部光を遮ることが可能なるサンバイザ本体と、該サンバイザ本体に支持されてなるバニティミラーと、操作者に向けて照明光を点灯可能なる照明手段とより少なくとも構成されてなるバニティミラー付きサンバイザにおいて、前記照明手段は、前記バニティミラーの上側及び又は下側の端部に左右方向に長尺なるようにして配設されてなると共に前記バニティミラーの厚みとほぼ同等の発光ダイオードよりなることで、実現した。
【実施例１】
【００１０】
以下、この発明の第１の実施例を図１〜図８に基づいて説明する。
【００１１】
符号１は、図１に示すように、垂下した状態で所定の範囲の外部光を遮ることが可能なると共に該状態での室内側に凹部１８が形成されてなるサンバイザ本体２と、該サンバイザ本体２の凹部１８に格納支持されてなるバニティミラー４と、図示しない操作者（化粧等を施す人）に向けて照明光を点灯可能なる照明手段６と、前記バニティミラー４を覆う位置（図４，図６）及び前記バニティミラー４を露出する位置（図８）にピン１６（図６乃至図８）を中心に開閉可能なるミラーカバー３とより構成されてなるバニティミラー付きサンバイザである。
【００１２】
前記バニティミラー４は、図２及び図３に示すように、前記照明手段６の配設されてなる位置の左右幅Ｌの裏面に、白色塗装４ｂを施してなり且つ前記照明手段６の配設されていない位置の左右幅ＭＮの裏面に、ハーフ蒸着処理４ａを施してなる。
【００１３】
前記照明手段６は、左右に長尺の基板７と、該基板７の前記バニティミラー４側の面に等間隔で直線状に配設された複数（例えば３個）の所謂表面実装型の発光ダイオード（以下、単に発光ダイオードと称する。）８と、基板７から延在されてなるコード９とよりなる。該コード９は、例えば車載バッテリ等の直流電流と後述するスイッチ手段１１により接続することで、発光ダイオード８が点灯可能となっている。
【００１４】
符号１９は、前記凹部１８の周囲に嵌合されてなるケースで、該ケース１９に支持されたスイッチ手段１１の固定接点１１ｂに可動接点１１ａが図４又は図５の実線で示す所定寸法離間した位置に配されている。該可動接点１１ａは、ミラーカバー３の押圧部３ａにより押され得る関係にあり、図５に示すように、ミラーカバー３が、二点鎖線で示す閉鎖時から実線で示す開成時に移動することで、該可動接点１１ａがミラーカバー３の押圧部３ａにより押されて、固定接点１１ｂに接触する。該両接点１１ａ、１１ｂの接触により、図示しない制御手段により照明手段６の発光ダイオード８が点灯する。従って、図４に示すように、ミラーカバー３が閉じれば、ミラーカバー３の押圧部３ａが可動接点１１ａから離れるので、図示しない制御手段により照明手段６の発光ダイオード８が消灯する。
【００１５】
図４及び図５に於いて、サンバイザ本体２は、図示しない天井に沿わせる状態で乗員側を向く位置に配される中空状のコア部材１２，１３が配されることで、軽量且つしっかり感を与える部材であり、該コア部材１２，１３の内側の部材１３に沿わせる鉄板製の芯材１４を挟んでパッド１５が配され、該パッド１５及び前記コア部材１２の外側面をポリ塩化ビニル、布などの材料による表皮１７で覆ってなる。符号１０は、前記スイッチ手段１１を覆うカバーである。
【００１６】
前記ミラーカバー３は、図６乃至図８に示すような板状のスプリング２１により、閉成側（図６）及び開成側（図８）にそれぞれ付勢している。より詳細に説明すると、前記カバー１０の裏面側に形成したボス２０，２０の間に、切り返し部２１ａが挿入係止されてなり、自由端部２１ｂは、ミラーカバー３に形成したカム３ｂを押圧していて、前記したように、閉成側（図６）及び開成側（図８）にそれぞれ付勢している。つまり、図６乃至図８に二点鎖線で示すフリー状態の形状をしているスプリング２１の自由端部２１ｂが、図６に示すような、ミラーカバー３の閉じた状態では、カム３ｂに押されてミラーカバー３の閉成側へ付勢されている。該ミラーカバー３をスプリング２１の付勢力に抗して開成させていくと、ミラーカバー３が約６０度開くと、スプリング２１の自由端部２１ｂがフリー状態の形状に対して約３０度撓み、この角度に達するまでに開かせる力をとれば、ミラーカバー３は再び閉じることになる。ミラーカバー３が約６０度を越えて開かせると、ミラーカバー３はスプリング２１の力により開く方向に付勢され、図８に示す全開位置で停止される。ちなみに、全開は、ミラーカバー３が９５度開いた状態であり、その状態でスプリング２１の自由端部２１ｂがフリー状態の形状に対して撓んだ状態で、開いたミラーカバー３の位置を保持している。
【００１７】
以上のように構成されたバニティミラー付きサンバイザ１は、バニティミラー４の上側及び下側の端部に左右方向に長尺なるようにして配設されてなる照明手段６の発光ダイオード８が、前記バニティミラー４の厚みとほぼ同等よりなるので、バニティミラー４を収納した凹部１８が形成される板厚さえサンバイザ１にあれば良いことになる。つまり、著しいサンバイザ１の薄型化が図れる。また、発光ダイオード８であるので、熱がこもらないことになり、発熱のための空間をあけるなどによるサンバイザ１の板厚増加の必要が無く、ますますサンバイザ１の薄型化が図れる。
【００１８】
また、バニティミラー４は、前記照明手段６の発光ダイオード８の配設されてなる位置の左右幅Ｌの裏面に、白色塗装４ｂを施してなり且つ前記照明手段６の発光ダイオード８の配設されていない位置の左右幅ＭＮの裏面に、ハーフ蒸着処理４ａを施してなることにより、昼間は、発光ダイオード８の有る無しに関わらず大きな幅、つまり左右幅Ｌに左右幅ＭＮを加えた左右幅ＭＤが確保できるので、化粧等を施す人に見やすいものとなる。また、夜間は、発光ダイオード８が点灯すると、裏面の白色塗装４ｂした部位より反射して化粧等を施す人を確実に照らし、ハーフ蒸着処理４ａを行った部位がミラーとして機能するから、バニティミラー４としての機能を確保できることになる。
【産業上の利用可能性】
【００１９】
前記実施例では、照明手段６の発光ダイオード８は、バニティミラー４の上下にそれぞれ設けたが、これに限定されるのでなく、上側又は下側だけでも良い。スイッチ手段がミラーカバーの開閉に連動して点滅するものとして説明したが、連動せず別のスイッチが設けられるものでも良いし、連動する他に待機状態を制御するスイッチが設けられるものでも良い。
【図面の簡単な説明】
【００２０】
【図１】この発明の第１の実施例に係るバニティミラー付きサンバイザを示す斜視図。
【図２】図１のバニティミラー及び該バニティミラーに取付けられる照明手段の分解斜視図。
【図３】図２のバニティミラー及び照明手段を裏側から見た正面図。
【図４】図１のバニティミラーの照明手段のスイッチ手段を示す断面図。
【図５】図４のバニティミラーのミラーカバーを開成させた時における照明手段のスイッチ手段の動作を示す断面図。
【図６】図１のバニティミラーのミラーカバーを閉成した状態を示す断面図。
【図７】図１のバニティミラーのミラーカバーを半分だけ開成した状態を示す断面図。
【図８】図１のバニティミラーのミラーカバーを開成した状態を示す断面図。
【符号の説明】
【００２１】
１  バニティミラー付きサンバイザ
２  サンバイザ本体
３  ミラーカバー
３ａ  押圧部
３ｂ  カム
４  バニティミラー
６  照明手段
８  発光ダイオード
１８  凹部
【図１】
2005263093.tif 000003
【図２】
2005263093.tif 000004
【図３】
2005263093.tif 000005
【図４】
2005263093.tif 000006
【図５】
2005263093.tif 000007
【図６】
2005263093.tif 000008
【図７】
2005263093.tif 000009
【図８】
2005263093.tif 000010